(57)【要約】  【課題】  原稿又は記録メディアの置き忘れを防止する画像形成装置の提供。  【解決手段】  原稿の画像を画像読取部によって読取り（Ｓ１６）、取得した画像データを記憶部に一時的に記憶させる（Ｓ１７）。そして、原稿の受取りを促す表示をすると共に（Ｓ１８）、原稿検知センサが出力する信号に基づいて原稿が受取られたか否かを判断する（Ｓ２０）。原稿が受取られたと判断した場合（Ｓ２０：ＹＥＳ）、画像形成部にて印刷処理を開始し、印刷処理が完了した時点で記憶部に記憶された画像データを無効化する。一方、画像データを記憶してから、原稿が受取られることなく所定時間が経過した場合（Ｓ２１：ＹＥＳ）、原稿が放置されている旨を端末装置へ通知する（Ｓ２２）。【選択図】        図３
2005150980.tif 000002
【特許請求の範囲】
【請求項１】
画像記録媒体の有無を検出する検出手段と、検出した画像記録媒体から画像データを読取る読取手段と、読取った画像データを記憶する記憶手段と、記憶した画像データに基づいてシート上に画像形成を行う画像形成手段とを備える画像形成装置において、
画像記録媒体から読取った画像データを前記記憶手段に記憶した後、前記検出手段が前記画像記録媒体が無いことを検出した場合、画像形成を開始させるべく前記画像形成手段を制御する手段を備えることを特徴とする画像形成装置。
【請求項２】
画像記録媒体から読取った画像データを前記記憶手段が記憶した後、前記検出手段が前記画像記録媒体が有ることを検出した場合、前記画像記録媒体が有る旨の情報を報知する手段を更に備えることを特徴とする請求項１に記載の画像形成装置。
【請求項３】
前記記憶手段が画像データを記憶してからの時間を計時する手段と、計時した時間に基づき、所定時間が経過したか否かを判断する手段と、所定時間が経過したと判断した後に、前記検出手段が前記画像記録媒体が有ることを検出した場合、前記画像記録媒体が有る旨の情報を外部へ送信する手段とを更に備えることを特徴とする請求項１又は請求項２に記載の画像形成装置。
【請求項４】
前記記憶手段が画像データを記憶してからの時間を計時する手段と、計時した時間に基づき、所定時間が経過したか否かを判断する手段と、所定時間が経過したと判断した場合、前記画像データを無効化する手段とを更に備えることを特徴とする請求項１に記載の画像形成装置。
【請求項５】
前記画像形成手段による画像形成が終了したか否かを判断する手段と、画像形成が終了したと判断した場合、前記記憶手段が記憶した画像データを無効化する手段とを更に備えることを特徴とする請求項１又は請求項４に記載の画像形成装置。
【請求項６】
前記画像記録媒体は、読取るべき画像を記録した原稿であることを特徴とする請求項１乃至請求項５の何れか１つに記載の画像形成装置。
【請求項７】
前記画像記録媒体は、読取るべき画像データを記録したメモリであることを特徴とする請求項１乃至請求項５の何れか１つに記載の画像形成装置。
【発明の詳細な説明】
【技術分野】
【０００１】
本発明は、原稿、記録メディア等の画像記録媒体の置き忘れを防止する画像形成装置に関する。
【背景技術】
【０００２】
コピー機、デジタル複合機等の画像形成装置が備える原稿読取部は、通常、その読取面に原稿が密接するように原稿カバーにより押圧され、読取動作が行われる。そのために、セットされた原稿が利用者から隠れてしまうこととなり、原稿の置き忘れといった問題が発生している。特に、コンビニエンスストア、小売店などにおいてデジタル複写機又はカラーデジタル複写機を利用したコピーサービスが提供されており、一般の利用者が手軽に利用できるものの、日頃使い慣れていないことから原稿の置き忘れが頻繁に生じている。
【０００３】
コピーサービスにおいては、利用者が個人的な文書を原稿としてセットして利用することが多く、その原稿を置き忘れてしまった場合、大きな問題となる虞がある。また、最近ではデジタルカメラなどで撮影したデータをプリントアウトするサービスも展開されている。ここでもプリントアウトされた記録物のみを受け取ってデータが記録された記録メディアを忘れて帰るという問題点も有している。
【０００４】
このような問題点に対処するため、原稿の読取りが完了した後に所定時間の経過をもって報知手段による警告を行ったり、利用者がその場を離れようとすると報知手段により報知したりする画像形成装置が提案されている（例えば、特許文献１参照）。
【特許文献１】特開昭５８−３０７７２号公報
【発明の開示】
【発明が解決しようとする課題】
【０００５】
しかしながら、このような報知手段を設けた場合、ブザーなどの警告音により効果的に置き忘れを防止することが可能ではあるが、コンビニエンスストアなどの店内においては、利用者本人はもちろんのこと他の利用者に対して迷惑をかけることとなり問題である。すなわち、客である利用者に対して警告音を利用することはあまり好ましくない。また、ブザーによる報知が強制的に切られた場合には、置き忘れを報知することができないという問題点を有する。また、その対応策としてランプなどの警告手段を利用した場合、置き忘れの防止効果としては十分でなく、利用者が気付かず結果として原稿の置き忘れにつながる虞が生じていた。
【０００６】
本発明は斯かる事情に鑑みてなされたものであり、画像記録媒体の有無を検出する検出手段と、画像記録媒体から読取った画像データを記憶する記憶手段とを備え、画像記録媒体から読取った画像データを記憶した後、前記画像記録媒体が無いことを前記検出手段が検出した場合、画像形成を開始させる構成とすることにより、警告音、警告灯などの警告手段を利用することなく、原稿、記録メディア等の画像記録媒体の置き忘れを防止することができる画像形成装置を提供することを目的とする。
【課題を解決するための手段】
【０００７】
本発明に係る画像形成装置は、画像記録媒体の有無を検出する検出手段と、検出した画像記録媒体から画像データを読取る読取手段と、読取った画像データを記憶する記憶手段と、記憶した画像データに基づいてシート上に画像形成を行う画像形成手段とを備える画像形成装置において、画像記録媒体から読取った画像データを前記記憶手段に記憶した後、前記検出手段が前記画像記録媒体が無いことを検出した場合、画像形成を開始させるべく前記画像形成手段を制御する手段を備えることを特徴とする。
【０００８】
本発明にあっては、画像記録媒体の有無を検出する検出手段と、画像記録媒体から読取った画像データを記憶する記憶手段とを備え、画像記録媒体から読取った画像データを記憶した後、前記画像記録媒体が無いことを検出した場合、画像形成を開始させるようにしてあるため、原稿、記録メディア等の画像記録媒体の置き忘れが防止される。
【０００９】
本発明に係る画像形成装置は、画像記録媒体から読取った画像データを前記記憶手段が記憶した後、前記検出手段が前記画像記録媒体が有ることを検出した場合、前記画像記録媒体が有る旨の情報を報知する手段を更に備えることを特徴とする。
【００１０】
本発明にあっては、画像記録媒体から読取った画像データを記憶した後、前記画像記録媒体が有ることを検出した場合、その旨を報知するようにしてあるため、利用者に画像記録媒体の受取りを促すことができ、置き忘れが防止される。
【００１１】
本発明に係る画像形成装置は、前記記憶手段が画像データを記憶してからの時間を計時する手段と、計時した時間に基づき、所定時間が経過したか否かを判断する手段と、所定時間が経過したと判断した後に、前記検出手段が前記画像記録媒体が有ることを検出した場合、前記画像記録媒体が有る旨の情報を外部へ送信する手段とを更に備えることを特徴とする。
【００１２】
本発明にあっては、画像記録媒体から読取った画像データを記憶してから所定の時間が経過した後、画像記録媒体が有ることを検出した場合、その旨の情報を外部へ送信するようにしてあるため、画像記録媒体の置き忘れが生じている場合には、その旨の情報が画像形成装置の管理者等に通知される。
【００１３】
本発明に係る画像形成装置は、前記記憶手段が画像データを記憶してからの時間を計時する手段と、計時した時間に基づき、所定時間が経過したか否かを判断する手段と、所定時間が経過したと判断した場合、前記画像データを無効化する手段とを更に備えることを特徴とする。
【００１４】
本発明にあっては、画像データを記憶してから所定の時間が経過した場合、記憶した画像データを無効化するようにしてあるため、画像データの漏洩が防止される。
【００１５】
本発明に係る画像形成装置は、前記画像形成手段による画像形成が終了したか否かを判断する手段と、画像形成が終了したと判断した場合、前記記憶手段が記憶した画像データを無効化する手段とを更に備えることを特徴とする。
【００１６】
本発明にあっては、画像形成が終了したと判断した場合、記憶した画像データを無効化するようにしてあるため、画像データの漏洩が防止される。
【００１７】
本発明に係る画像形成装置は、前記画像記録媒体は、読取るべき画像を記録した原稿であることを特徴とする。
【００１８】
本発明にあっては、画像記録媒体が、読取るべき画像を記録した原稿であるため、原稿の置き忘れが防止される。
【００１９】
本発明に係る画像形成装置は、前記画像記録媒体は、読取るべき画像データを記録したメモリであることを特徴とする。
【００２０】
本発明にあっては、画像記録媒体が、読取るべき画像データを記録したメモリであるため、各種記録メディア等のメモリの置き忘れが防止される。
【発明の効果】
【００２１】
本発明による場合は、画像記録媒体から読取った画像データを記憶した後、前記画像記録媒体が無いことを検出した場合、画像形成を開始させるようにしてあるため、警告音、警告灯などの警告手段を利用することなく、原稿、記録メディア等の画像記録媒体の置き忘れを防止させることができる。
【００２２】
また、本発明による場合は、画像記録媒体から読取った画像データを記憶した後、前記画像記録媒体が有ることを検出した場合、その旨を報知するようにしてあるため、利用者に受取りを促すことができ、画像記録媒体の置き忘れを防止させることができる。
【００２３】
更に、本発明による場合は、画像記録媒体から読取った画像データを記憶してから所定の時間が経過した後、画像記録媒体が有ることを検出した場合、その旨の情報を外部へ送信するようにしてあるため、画像記録媒体の置き忘れが生じている場合には、その旨の情報が画像形成装置の管理者等に通知することができる。
【００２４】
更に、本発明による場合は、画像データを記憶してから所定の時間が経過した場合、記憶した画像データを無効化するようにしてあるため、既に装置内部に取込んだ画像データの漏洩を防止することができる。
【００２５】
更に、本発明による場合は、画像形成が終了したと判断した場合、記憶した画像データを無効化するようにしてあるため、既に装置内部に取込んだ画像データの漏洩を防止することができる。
【００２６】
更に、本発明による場合は、画像記録媒体が、読取るべき画像を記録した原稿であるため、原稿の置き忘れを防止することができる。
【００２７】
更に、本発明による場合は、画像記録媒体が、読取るべき画像データを記録したメモリであるため、各種記録カード等のメモリの置き忘れを防止することができる。
【発明を実施するための最良の形態】
【００２８】
以下、本発明をその実施の形態を示す図面に基づいて具体的に説明する。
実施の形態１．
図１は本発明の画像形成装置を利用した画像形成システムの構成を説明するブロック図である。図中１は、コンビニエンスストア、小売店等に設置される画像形成装置であり、該画像形成装置１には通信ネットワークＮ１を介して管理者が使用するパーソナルコンピュータ等の情報処理装置２、及びＰＯＳ端末３，３，…，３が接続されている。また、ファクシミリ通信網Ｎ２を介して外部のファクシミリ装置４が接続されている。
【００２９】
画像形成装置１は、原稿の画像を読取るスキャナ機能、読取った画像を用紙上に印刷するコピー機能、外部から印刷データを受付けて用紙上に印刷処理を行うプリンタ機能、外部のファクシミリ装置４とファクシミリデータの送受信をするファクシミリ機能を備えるデジタル複合機であり、ＣＰＵから構成される制御部１１と、バス１２を介して該制御部１１に接続された各種ハードウェアとを備えている。ＲＯＭ１３には各種ハードウェアを制御する制御プログラムが予め格納されており、制御部１１が前記制御プログラムをロードして実行することにより前述の各機能を有するデジタル複合機として動作させる。管理部１４は、半導体メモリにより構成され、各種ハードウェアの状態を管理するための管理情報が記憶される。
【００３０】
操作パネル１５は、利用者からの動作指示を受付けるための各種操作キーを備える操作部１５１と、操作部１５１から入力された各種の設定値を表示する表示部とから構成される。画像読取部１６は、ＣＣＤ１６１（Charge Coupled Device）を備えており、図に示していない原稿台にセットされた原稿の画像を当該ＣＣＤ１６１に結像させてアナログ電気信号に変換し、得られたアナログ信号をデジタル信号に変換した後、原稿読取時の光源の配光特性、ＣＣＤ１６１の感度ムラ等を補正して画像データを生成する。生成された画像データは、画像メモリ１８を経由してハードディスクからなる記憶部１９内の適宜の記憶領域に記憶される。また、画像読取部１６は、原稿台にセットされた原稿を検知するための原稿検知センサ１６２を備えており、この原稿検知センサ１６２の出力に基づいて原稿の有無に関する情報を取得し、取得した情報を管理部１４にて管理する。原稿検知センサ１６２は、例えば、発光素子と受光素子とにより構成され、発光素子から発せられる光の反射光量を検出することによって原稿の有無を検出するようにしている。なお、画像読取部１６は、複数の原稿を自動的に読取るための自動給送装置を備える構成であっても良い。
【００３１】
画像形成部１７は、例えば、感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（不図示）を備えており、電子写真方式にて利用者が所望する画像を用紙上に形成することができる。
なお、本実施の形態では、画像形成部１７はレーザ書込装置を用いた電子写真方式により画像形成を行う構成としたが、インクジェット方式、熱転写方式、昇華方式により画像形成を行わせる構成であっても良いことは勿論である。
【００３２】
徴収ユニット２０は、貨幣又はプリペイドカード等の有価物を受付ける手段を備えている。制御部１１は、ＲＯＭ１３が記憶している制御プログラムに従って、徴収ユニット２０が受付けている有価物に対して画像形成装置１が行う処理に対して課金し、徴収ユニット２０は課金された対価を有価物から徴収する。なお、徴収ユニット２０は、プリペイドカード等の記録媒体を受付け、課金された対価の情報を記録媒体に記録する処理を行うものであってもよい。
【００３３】
通信部２１は、通信ネットワークＮ１の通信規格に準拠した通信インタフェースを備えており、当該通信ネットワークＮ１に接続された情報処理装置２からの印刷データを受信するとともに、情報処理装置２又はＰＯＳ端末３，３，…，３へ通知すべき情報を送信する。ファクシミリ通信部２２は、ファクシミリ通信網Ｎ２へ接続するための回線終端回路を備えており、ファクシミリ通信網Ｎ２を介して送信されたファクシミリ装置４からのファクシミリデータを受信する。ファクシミリ通信部２２は、受信したファクシミリデータを復号化するための復号化回路を備えており、復号化して得られる画像データを画像メモリ１８へ転送する。また、ファクシミリ通信部２２は、送信すべきファクシミリデータを符号化するための符号化回路を備えており、該符号化回路にて符号化したファクシミリデータを目的のファクシミリ装置へ送信する。ファクシミリ通信部２２は、このようなファクシミリデータの送受信、及びファクシミリデータの符号化・復号化処理を実行する。
【００３４】
本実施の形態では、画像読取部１６にセットされた原稿の有無を原稿検知センサ１６２の出力に基づいて監視しており、セットされた原稿の画像を読取った後、その原稿が残っている場合には画像形成部１７にて印刷処理を開始させず、原稿の受取りを促す表示を行う。そして、原稿が受取られた段階で、画像形成部１７にて印刷処理を開始する。また、セットされた原稿が受取られることなく所定時間が経過した場合、管理者が使用する情報処理装置２、又はＰＯＳ端末３へ原稿が放置されている旨の情報を通知するようにしている。
【００３５】
図２は操作パネル１５の一例を示す模式図である。操作パネル１５の操作部１５１は、数値入力のためのテンキー１５１ａ、クリアキー１５１ｂ、全解除キー１５１ｃ、画像の読取りを開始させるためのスタートキー１５１ｄ等のハードウェアキーを備えている。また、操作パネル１５の表示部１５２は、液晶ディスプレイ装置を備えており、操作部１５１を通じて入力された情報、利用者に対して通知すべき情報が表示されるとともに、その一部はタッチパネルを構成しており、表示内容を基に利用者の選択操作を受付けるようにしている。
【００３６】
図３及び図４は画像形成装置１による処理の手順を説明するフローチャートである。まず、制御部１１は、管理部１４に記憶されている情報に基づき、画像読取部１６の原稿検知センサ１６２により原稿を検知したか否かを判断する（ステップＳ１１）。原稿を検知していないと判断した場合（Ｓ１１：ＮＯ）、原稿を検知するまで待機する。原稿を検知したと判断した場合（Ｓ１１：ＹＥＳ）、徴収ユニット２０に投入すべき印刷料金を表示部１５２に表示して課金処理を行う（ステップＳ１２）。次いで、制御部１１は、操作パネル１５のスタートキー１５１ｄが押下操作されたか否かを監視することにより、原稿の読取りを開始すべきか否かを判断する（ステップＳ１３）。原稿の読取りを開始すべきでないと判断した場合（Ｓ１３：ＮＯ）、全解除キー１５１ｃ等が押下操作されることにより印刷処理がキャンセルされたか否かを判断する（ステップＳ１４）。キャンセルされていないと判断した場合（Ｓ１４：ＮＯ）、処理をステップＳ１３へ戻し、キャンセルされたと判断した場合（Ｓ１４：ＹＥＳ）、返金処理を行って（ステップＳ１５）、本フローチャートによる処理を終了する。
【００３７】
ステップＳ１３において、原稿の読取りを開始すべしと判断した場合（Ｓ１３：ＹＥＳ）、原稿を走査してＣＣＤ１６１により原稿の画像を光学的に読取り（ステップＳ１６）、画像読取部１６が取得した画像データを画像メモリ１８を経由させて記憶部１９上に一時的に記憶させる（ステップＳ１７）。そして、図５（ａ）の表示例に示したように原稿台に原稿が残っている旨を操作パネル１５の表示部１５２に表示し、原稿の受取りを促す表示を行う（ステップＳ１８）。次いで、制御部１１は、図に示していないタイマをセットするとともに（ステップＳ１９）、原稿検知センサ１６２の出力に基づいて原稿の受取りが完了したか否かを判断する（ステップＳ２０）。原稿の受取りが完了していないと判断した場合（Ｓ２０：ＮＯ）、前記タイマの出力を参照することにより、所定時間が経過したか否かを判断する（ステップＳ２１）。所定時間が経過していないと判断した場合（Ｓ２１：ＮＯ）、処理をステップＳ２０へ戻す。タイマをセットしてから所定時間が経過したと判断した場合（Ｓ２１：ＹＥＳ）、置き忘れの原稿が有る旨を所定の端末装置（例えば、管理者の情報処理装置２）へ通知する（ステップＳ２２）。そして、記憶部１９に記憶された画像データを無効化する（ステップＳ２３）。ここで、画像データの無効化とは、例えば、記憶部１９に記憶された画像データ上にランダムのデータを上書きすることによって再現困難な状態にすることをいう。
【００３８】
ステップＳ２０において原稿の受取りが完了したと判断した場合（Ｓ２０：ＹＥＳ）、記憶部１９にて一時的に記憶した画像データを読出し、画像形成部１７へ転送することによって印刷処理を開始する（ステップＳ２４）。印刷処理を実行している間、制御部１１は、図５（ｂ）に示した如く印刷処理が実行中である旨を表示部１５２に表示する（ステップＳ２５）。次いで、制御部１１は、印刷処理が完了したか否かを判断し（ステップＳ２６）、印刷処理が完了したと判断した場合（Ｓ２６：ＹＥＳ）、記憶部１９に記憶された画像データを無効化する（ステップＳ２７）。印刷処理が完了していないと判断した場合（Ｓ２６：ＮＯ）、徴収ユニット２０から出力される情報に従って、残金エラーが生じているか否かを判断する（ステップＳ２８）。残金エラーでないと判断した場合（Ｓ２８：ＮＯ）、処理をステップＳ２６へ戻し、残金エラーが生じていると判断した場合（Ｓ２８：ＹＥＳ）、印刷処理を一時的に中断する（ステップＳ２９）。そして、全解除キー１５１ｃ等が押下操作されることにより、印刷処理がキャンセルされたか否かを判断し（ステップＳ３０）、キャンセルされたと判断した場合（Ｓ３０：ＹＥＳ）、記憶部１９に記憶された画像データを無効化する（Ｓ２７）。また、印刷処理がキャンセルされていないと判断した場合（Ｓ３０：ＮＯ）、課金処理を行った後（ステップＳ３１）、処理をステップＳ２４へ戻して印刷処理を再開する。
【００３９】
実施の形態２．
実施の形態１では、原稿の画像を読取って画像データを取得し、取得した画像データに基づいて用紙上に画像形成を行う画像形成装置１について説明したが、デジタルカメラ等で撮像して得られた画像データを、半導体メモリを内蔵する可搬型の記録メディアに記憶させておき、その記録メディアに記録された画像データを読取って、用紙上に印刷する画像形成装置にも適用することができる。
【００４０】
図６は本実施の形態に係る画像形成装置を利用した画像形成システムの構成を説明するブロック図である。図中５は、コンビニエンスストア、小売店等に設置される画像形成装置であり、該画像形成装置５には通信ネットワークＮ１を介して管理者が使用するパーソナルコンピュータ等の情報処理装置２、及びＰＯＳ端末３，３，…，３が接続されており、ファクシミリ通信網Ｎ２を介して外部のファクシミリ装置４が接続されている。
【００４１】
画像形成装置５は、ＣＰＵから構成される制御部５１と、バス５２を介して該制御部５１に接続された各種ハードウェアとを備えている。バス５２に接続されたハードウェアとしては、ＲＯＭ５３、管理部５４、操作パネル５５、画像形成部５７、画像メモリ５８、記憶部５９、徴収ユニット６０、通信部６１、及びファクシミリ通信部６２を備えている。なお、これらのハードウェアに関しては実施の形態１と全く同様であるため、その説明を省略することとする。
【００４２】
バス５２には、更に、半導体メモリを内蔵する可搬型の記録メディア５６０から、記録された画像データを読取るためのメディアリーダ５６を備えている。メディアリーダ５６は、記録メディア５６０を挿入するためのスロット、該スロットに記録メディア５６０が挿入されたことを検出する検出回路、挿入された記録メディア５６０から画像データを読取る読取回路等を備えており、読取った画像データを画像メモリ５８を経由させて記憶部５９に一時的に記憶させる。また、前記検出回路の検出結果はバス５２を介して管理部５４へ転送され、管理部５４にて記録メディア５６０の有無に係る情報を管理する。
【００４３】
図７及び図８は画像形成装置１による処理の手順を説明するフローチャートである。まず、制御部５１は、管理部５４が管理する情報に従って、メディアリーダ５６により記録メディア５６０がセットされたことが検知されたか否かを判断する（ステップＳ４１）。記録メディア５６０が検知されていないと判断した場合（Ｓ４１：ＮＯ）、記録メディア５６０を検出されるまで待機する。記録メディア５６０が検知されたと判断した場合（Ｓ４１：ＹＥＳ）、印刷料金を徴収ユニット６０に投入すべき旨を表示部１５２に表示して課金処理を行う（ステップＳ４２）。次いで、制御部５１は、操作パネル５５のスタートキー１５１ｄ（図２参照）が押下操作されたか否かを監視することにより、記録メディア５６０に記録された画像データの読取りを開始すべきか否かを判断する（ステップＳ４３）。記録メディア５６０に記録された画像データの読取りを開始すべきでないと判断した場合（Ｓ４３：ＮＯ）、全解除キー１５１ｃ等が押下操作されることにより印刷処理がキャンセルされたか否かを判断する（ステップＳ４４）。キャンセルされていないと判断した場合（Ｓ４４：ＮＯ）、処理をステップＳ４３へ戻し、キャンセルされたと判断した場合（Ｓ４４：ＹＥＳ）、返金処理を行って（ステップＳ４５）、本フローチャートによる処理を終了する。
【００４４】
ステップＳ４３において、記録メディア５６０に記録された画像データの読取りを開始すべしと判断した場合（Ｓ４３：ＹＥＳ）、画像データを記録メディア５６０から読取り（ステップＳ４６）、メディアリーダ５６が取得した画像データを画像メモリ５８を経由させて記憶部５９上に一時的に記憶させる（ステップＳ４７）。そして、記録メディア５６０がメディアリーダ５６に残っている旨を操作パネル５５の表示部５５２に表示し、記録メディア５６０の受取りを促す表示を行う（ステップＳ４８）。次いで、制御部５１は、図に示していないタイマをセットするとともに（ステップＳ４９）、メディアリーダ５６にセットされた記録メディア５６０の受取りが完了したか否かを判断する（ステップＳ５０）。記録メディア５６０の受取りが完了していないと判断した場合（Ｓ５０：ＮＯ）、前記タイマの出力を参照することにより、所定時間が経過したか否かを判断する（ステップＳ５１）。所定時間が経過していないと判断した場合（Ｓ５１：ＮＯ）、処理をステップＳ５０へ戻す。タイマをセットしてから所定時間が経過したと判断した場合（Ｓ５１：ＹＥＳ）、放置されている記録メディア５６０がメディアリーダ５６に残っている旨を所定の端末装置（例えば、管理者の情報処理装置２）へ通知する（ステップＳ５２）。そして、記憶部１９に記憶された画像データを無効化する（ステップＳ５３）。
【００４５】
ステップＳ５０において原稿の受取りが完了したと判断した場合（Ｓ５０：ＹＥＳ）、記憶部５９にて一時的に記憶した画像データを読出し、画像形成部５７へ転送することによって印刷処理を開始する（ステップＳ５４）。印刷処理を実行している間、制御部５１は、印刷処理が実行中である旨を表示部１５２に表示する（ステップＳ５５）。次いで、制御部５１は、印刷処理が完了したか否かを判断し（ステップＳ５６）、印刷処理が完了したと判断した場合（Ｓ５６：ＹＥＳ）、記憶部５９に記憶された画像データを無効化する（ステップＳ５７）。印刷処理が完了していないと判断した場合（Ｓ５６：ＮＯ）、徴収ユニット６０から出力される情報に従って、残金エラーが生じているか否かを判断する（ステップＳ５８）。残金エラーでないと判断した場合（Ｓ５８：ＮＯ）、処理をステップＳ５６へ戻し、残金エラーが生じていると判断した場合（Ｓ５８：ＹＥＳ）、印刷処理を一時的に中断する（ステップＳ５９）。そして、全解除キー１５１ｃ等が押下操作されることにより、印刷処理がキャンセルされたか否かを判断し（ステップＳ６０）、キャンセルされたと判断した場合（Ｓ６０：ＹＥＳ）、記憶部５９に記憶された画像データを無効化する（Ｓ５７）。また、印刷処理がキャンセルされていないと判断した場合（Ｓ６０：ＮＯ）、課金処理を行った後（ステップＳ６１）、処理をステップＳ５４へ戻して印刷処理を再開する。
【図面の簡単な説明】
【００４６】
【図１】本発明の画像形成装置を利用した画像形成システムの構成を説明するブロック図である。
【図２】操作パネルの一例を示す模式図である。
【図３】画像形成装置による処理の手順を説明するフローチャートである。
【図４】画像形成装置による処理の手順を説明するフローチャートである。
【図５】表示部の表示例を示す模式図である。
【図６】本実施の形態に係る画像形成装置を利用した画像形成システムの構成を説明するブロック図である。
【図７】画像形成装置による処理の手順を説明するフローチャートである。
【図８】画像形成装置による処理の手順を説明するフローチャートである。
【符号の説明】
【００４７】
１，５  画像形成装置
２  情報処理装置
３  ＰＯＳ端末
４  ファクシミリ装置
１１，５１  制御部
１６  画像読取部
１７，５７  画像形成部
１９，５９  記憶部
５６  メディアリーダ
【図１】
2005150980.tif 000003
【図２】
2005150980.tif 000004
【図３】
2005150980.tif 000005
【図４】
2005150980.tif 000006
【図５】
2005150980.tif 000007
【図６】
2005150980.tif 000008
【図７】
2005150980.tif 000009
【図８】
2005150980.tif 000010